(57)【要約】【課題】仕上げや機能が損なわれることなく、壁体の反りを矯正・防止することができる壁構造を提供する。【解決手段】上下方向に延びる第１スタッド（下地材）３１と、第１スタッド３１の壁厚さ方向の両側に配置され第１スタッド３１に接合された一対の板材４，５と、を有し、一対の板材４，５の間で第１スタッド３１と隣接する位置に空洞部２４が形成された第１壁部（壁部）２１の壁構造１において、上下方向に延びて、空洞部２４に第１スタッド３１に沿って配置される矯正柱７を有し、矯正柱７は、第１スタッド３１よりも高い曲げ剛性を有し、第１スタッド３１の上下方向の中間部と当接している。【選択図】図３
2020153076.tif 000002
【特許請求の範囲】
【請求項１】
上下方向に延びる下地材と、
前記下地材の壁厚さ方向の両側に配置され前記下地材に接合された一対の板材と、を有し、
前記一対の板材の間で前記下地材と隣接する位置に空洞部が形成された壁部の壁構造において、
上下方向に延びて、前記空洞部に前記下地材に沿って配置される矯正柱を有し、
前記矯正柱は、前記下地材よりも高い曲げ剛性を有し、前記下地材の上下方向の中間部と当接していることを特徴とする壁構造。
【請求項２】
前記矯正柱は、前記下地材の上下方向の中間部を当接して押圧していることを特徴とする請求項１に記載の壁構造。
【請求項３】
前記矯正柱は、
前記下地材の上部側に固定される上側固定部と、
前記下地材の下部側に固定される下側固定部と、
前記下地材の上下方向の中間部と当接する中間当接部と、を有することを特徴とする請求項１または２に記載の壁構造。
【請求項４】
前記上側固定部、前記下側固定部および前記中間当接部は、いずれも前記下地材に対して前記壁厚さ方向のいずれか一方側の同じ側に配置されていることを特徴とする請求項３に記載の壁構造。
【請求項５】
前記中間当接部は、パッキンを介して前記下地材と当接していることを特徴とする請求項３または４に記載の壁構造。
【請求項６】
前記矯正柱は、上下方向に延びる柱部を有し、
前記中間当接部は、前記柱部の側面から突出するように柱部に接合され、
前記柱部には、前記中間当接部が突出する方向と反対方向に突出し前記壁部を構成する部材と当接する回転防止部が接合されていることを特徴とする請求項３乃至５のいずれか一項に記載の壁構造。
【請求項７】
前記回転防止部は、パッキンを介して前記壁部を構成する部材と当接していることを特徴とする請求項６に記載の壁構造。
【発明の詳細な説明】
【技術分野】
【０００１】
本発明は、壁構造に関する。
【背景技術】
【０００２】
従来、建物の外壁や間仕切り壁などの壁体は、想定外の外力や温度・湿度などの環境の変化などによって、反りが生じることがある。特許文献１には、壁体に反りが生じた際に使用され、壁体の反りを矯正する装置が開示されている。
特許文献１に開示された装置では、反りが生じたパネルの所定の位置にアンカーを埋設し、鋼材のフレームの孔に挿通されたネジをアンカーにねじ込むことで、パネルをフレームに引き寄せてパネルの反りを矯正するように構成されている。
【先行技術文献】
【特許文献】
【０００３】
【特許文献１】実開平２−６８１１７号公報
【発明の概要】
【発明が解決しようとする課題】
【０００４】
しかしながら、特許文献１に開示された装置では、パネルのアンカーが埋め込まれている部分に局所的に力が加わるため、材質や形状によってはパネルが損傷し、その仕上げや機能が損なわれる虞がある。
【０００５】
そこで、本発明は、仕上げや機能が損なわれることなく、壁体の反りを矯正・防止することができる壁構造を提供することを目的とする。
【課題を解決するための手段】
【０００６】
上記目的を達成するため、本発明に係る壁構造は、上下方向に延びる下地材と、前記下地材の壁厚さ方向の両側に配置され前記下地材に接合された一対の板材と、を有し、前記一対の板材の間で前記下地材と隣接する位置に空洞部が形成された壁部の壁構造において、上下方向に延びて、前記空洞部に前記下地材に沿って配置される矯正柱を有し、前記矯正柱は、前記下地材よりも高い曲げ剛性を有し、前記下地材の上下方向の中間部と当接していることを特徴とする。
【０００７】
本発明では、壁部の下地材よりも高い曲げ剛性を有する矯正柱が下地材の上下方向の中間部と当接していることにより、下地材の上下方向の中間部が張り出して反るように壁部が変形しようとすると、下地材の上下方向の中間部が矯正柱に当接して下地材の変形が防止されるため、壁部の変形（反り）を防止することができる。
また、下地材の上下方向の中間部が張り出して反るように壁部が変形している場合には、下地材の上下方向の中間部に当接させるように矯正柱を設けることで、下地材の変形が矯正され、壁部の変形（反り）を矯正することができる。
そして、矯正柱は、空洞部に設けられているとともに、下地材と当接して一対の板材に負荷を与えることがないため、壁部の仕上げや機能を損なうことがない。
【０００８】
また、本発明に係る壁構造では、前記矯正柱は、前記下地材の上下方向の中間部を当接して押圧していてもよい。
このような構成とすることにより、矯正柱が壁部の反りを効率的に防止できるとともに、矯正柱が壁部の反りをより効率的に矯正することができる。
【０００９】
また、本発明に係る壁構造では、前記矯正柱は、前記下地材の上部側に固定される上側固定部と、前記下地材の下部側に固定される下側固定部と、前記下地材の上下方向の中間部と当接する中間当接部と、を有していてもよい。
このような構成とすることにより、矯正柱を下地材の上部側および下部側に固定すればよいため、矯正柱の設置を容易に行うことができる。
【００１０】
また、本発明に係る壁構造では、前記上側固定部、前記下側固定部および前記中間当接部は、いずれも前記下地材に対して前記壁厚さ方向のいずれか一方側の同じ側に配置されていてもよい。
このような構成とすることにより、矯正柱の設置が下地材に対して前記壁厚さ方向のいずれか一方側のみからの作業となるため、容易に行うことができる。
また、壁部に反りが生じ、その反りを矯正する改修工事として矯正柱を設置する場合に、矯正柱の設置が下地材に対して前記壁厚さ方向のいずれか一方側のみからの作業となるため、一対の板材のうちの一方の板材のみを外す、または一対の板材のうちの一方の板材のみに開口部を形成することで、矯正柱を設置することができる。
これにより、矯正柱を設置した後に、取り外した板材またはそれに代わる板材を設置したり、板材に形成した開口部を塞いだりする作業が一対の板材のうちの一方の板材のみに対して行えばよいため、壁部の改修工事の場合でも、矯正柱の設置を容易に行うことができる。
【００１１】
また、本発明に係る壁構造では、前記中間当接部は、パッキンを介して前記下地材と当接していてもよい。
このような構成とすることにより、パッキンの厚さ寸法を調整することで、下地材が中間当接部から受ける力の大きさを調整することができる。
また、下地材が中間当接部から押圧される場合に、下地材が損傷することを防止することができる。
【００１２】
また、本発明に係る壁構造では、前記矯正柱は、上下方向に延びる柱部を有し、前記中間当接部は、前記柱部の側面から突出するように柱部に接合され、前記柱部には、前記中間当接部が突出する方向と反対方向に突出し前記壁部を構成する部材と当接する回転防止部が接合されていてもよい。
このような構成とすることにより、下地材からの反力により矯正柱が柱部の軸線回りに回転することが防止され、中間当接部が下地材と当接した状態、または中間当接部が下地材を押圧した状態を維持することができる。
【００１３】
また、本発明に係る壁構造では、前記回転防止部は、パッキンを介して前記壁部を構成する部材と当接していてもよい。
このような構成とすることにより、パッキンの厚さ寸法を調整することで、壁部を構成する部材に回転防止部を確実に当接させることができる。
また、壁部を構成する部材が回転防止部から押圧される場合に、壁部を構成する部材が損傷することを防止することができる。
【発明の効果】
【００１４】
本発明によれば、仕上げや機能が損なわれることなく、壁体の反りを矯正・防止することができる。
【図面の簡単な説明】
【００１５】
【図１】本発明の実施形態による壁構造の第１壁部およびその周辺の一例を示す図である。
【図２】改修前の第１壁部を示す鉛直断面図である。
【図３】改修後の本実施形態による壁構造の第１壁部を示す図５のＡ−Ａ線断面に対応する鉛直断面図である。
【図４】改修後の本実施形態による壁構造の第１壁部を示す図５のＢ−Ｂ線断面に対応する鉛直断面図である。
【図５】図３のＣ方向矢視図で第３板材を省略した図である。
【図６】矯正柱を後側から見た図である。
【図７】柱部の上端部を示す図である。
【図８】壁体の改修方法の第１上側固定部、第２上側固定部を下地材に固定する工程を示す図である。
【図９】壁体の改修方法の第１中間固定部、第２中間固定部を下地材に固定する工程を示す図である。
【図１０】壁体の改修方法の柱部の上端部を上枠と第２下地板材との間に挿入する工程を示す図である。
【図１１】本実施形態の変形例による壁構造を示す鉛直断面図である。
【発明を実施するための形態】
【００１６】
以下、本発明の実施形態による壁構造について、図１−図１０に基づいて説明する。
図１に示す本実施形態による壁構造１は、開口部１１に設けられた片引戸１２の建具１３が開口部１１を開口する際に配置される引き込み部分１４に対向する位置に設けられた壁部（第１壁部２１とする）の改修された後の構造である。
第１壁部２１の壁面に直交する水平方向を壁厚さ方向（図１の上下方向）とし、壁面に沿った水平方向を壁幅方向（図１の左右方向）とする。
【００１７】
片引戸１２の建具１３は、第１壁部２１の壁厚さ方向の一方側に設けられたレール１５に沿って壁幅方向にスライド可能に構成されている。壁厚さ方向のうち第１壁部２１に対してレール１５が設けられている側を前側とし、レール１５に対して第１壁部２１が設けられている側を後側とする。
第１壁部２１の壁幅方向の一方側には、片引戸１２の建具１３が開閉する開口部１１が形成され、第１壁部２１壁幅方向の他方側には、他の壁部(第２壁部２２とする)が連続して設けられている。
【００１８】
第１壁部２１は、第２壁部２２よりも薄く形成されている。
第１壁部２１と第２壁部２２とは、それぞれの後面が面一に配置され、第１壁部２１の前面が第２壁部２２の前面よりも後側に配置されている。第１壁部２１と第２壁部２２との接続部分には、前側に段部２３が形成されている。
第１壁部２１の後側には、他の片引戸１６の縦枠１６１が取り付けられている。他の片引戸１６は、建具１６２が第１壁部２１の壁厚さ方向にスライドするように構成されている。
【００１９】
第１壁部２１の壁幅方向の一方側の端部には、片引戸１２の中方立１７が壁幅方向の一方側から接合されている。
第１壁部２１の壁幅方向の他方側の端部には、片引戸１２の縦枠１８が接合されている。縦枠１８は、第１壁部２１と第２壁部２２の接続部分の段部２３に沿って配置されていて、第１壁部２１の壁幅方向の他方側の端部に前側から接合されている。
中方立１７の前面１７１は、縦枠１８の前面１８１よりも後側に配置されている。中方立１７の前端部分と、縦枠１８の後端部分とが壁幅方向に間隔をあけて対向して配置されている。
第１壁部２１の上端部には、片引戸１２の上枠が前側から接合されている。上枠は、第１壁部２１の第１板材４（後述する、図２および図３参照）および建具１３が引き込み部分１４の上側に配置されている。
【００２０】
改修前の第１壁部２１は、他の片引戸１６の縦枠１６１に反りが生じたことによって、上下方向の中間部が前側に押され、上下方向の中間部が張り出す反りが生じた状態となった。このため、第１壁部２１の反りを矯正するために改修を行った。
まず、改修前の第１壁部２１について説明する。
図２に示すように、改修前の第１壁部２１は、上下方向に延び壁幅方向に間隔をあけて設けられた２本のスタッド３と、複数のスタッド３の壁厚さ方向の両側にそれぞれ接合された一対の板材４，５と、を有している。
【００２１】
スタッド３は、中空、または断面がＣ字形となる軽量鉄骨の柱状の部材で、上端部が天井または梁に設けられたランナーに接合され、下端部が床に設けられたランナーに接合されている。ランナーは、断面形状がＣ字形状の型材で、底板部と、底板部の短手方向の両縁部から突出する一対の側板部と、を有している。ランナーは、底板部および一対の側板部に囲まれた溝部が形成されている。
【００２２】
天井または梁に設けられたランナーは、底板部が上側となり、一対の側板部が底板部の前縁部および後縁部から下側に突出し、溝部が下側に開口するように設けられている。床に設けられたランナーは、底板部が下側となり、一対の側板部が底板部の前縁部および後縁部から上側に突出し、溝部が上側に開口するように設けられている。
スタッド３は、上端部が天井または梁に設けられたランナーの溝部に挿入され、下端部が床に設けられたランナーの溝部に挿入されている。
【００２３】
２本のスタッド３のうち、壁幅方向の一方側に設けられたスタッド３を第１スタッド３１（下地材）とし、壁幅方向の他方側に設けられたスタッド３を第２スタッド３２とする。
第１スタッド３１は、第１壁部２１の壁幅方向の一方側の端部近傍に設けられている。第２スタッド３２は、第１壁部２１の壁幅方向の中間部に設けられている。
【００２４】
一対の板材４，５は、例えば、石膏ボードなどで、一方の面が仕上げ面となり、クロス材が張られたり、塗装されたりしている。
一対の板材４，５のうち、２本のスタッド３の前側に設けられた板材４を第１板材４とし、２本のスタッド３の後側に設けられた板材４を第２板材５とする。
第１板材４は、前面４１が仕上げ面となり、後側の面が２本のスタッド３と対向している。
第２板材５は、後面５１が仕上げ面となり、前側の面が２本のスタッド３と対向している。
【００２５】
第１板材４は、中方立１７と縦枠１８との間に設けられていて、壁幅方向の一方の端部が中方立１７の前端部近傍に当接し、壁幅方向の他方の端部が縦枠１８の後側の端部近傍に当接し、上端部が上枠の下面と当接している。第１板材４の前面４１は、中方立１７の前面１７１よりも後に位置している。
第１板材４は、中方立１７、縦枠１８、上枠、床部に囲まれている。
第２板材５は、壁幅方向の一方側の端部が中方立１７に当接し、壁幅方向の他方側は第２壁部２２に連続して設けられている。
【００２６】
本実施形態では、第２板材５は、壁幅方向に２つに分割されていて、間に他の片引戸１６の縦枠１６１を取り付けるための第１下地板材６１が設けられている。第１下地板材６１は、第２板材５とほぼ同じ厚さのパーティクルボードなどの板材４で、第２板材５と面一となるように設けられている。第１下地板材６１は、壁幅方向の一方の端部が第１スタッド３１の後面と当接し、壁幅方向の他方の端部が第２スタッド３２の後面と当接している。第１下地板材６１は、第１スタッド３１と第２スタッド３２の間の空間に対向する位置に配置されている。
【００２７】
第１下地板材６１の前側には、板状の第２下地板材６２が重なって設けられている。第２下地板材６２は、第１下地板材６１の前面に当接して設けられ、第１スタッド３１と第２スタッド３２の間に配置されている。
第１壁部２１の内部には、第１スタッド３１と第２スタッド３２との間で、第１板材４と第２下地板材６２とに挟まれた空洞部２４が形成されている、空洞部２４は、第１壁部２１の上下方向全体にわたって形成されている。
上枠は、空洞部２４の前側に、空洞部２４を上下に分断しないように配置されている。
【００２８】
続いて、改修後の第１壁部２１について説明する。
図３および図４に示すように、改修後の第１壁部２１は、空洞部２４に矯正柱７が設けられている。第１壁部２１は、矯正柱７を設けるために、第１板材４における、空洞部２４、第１スタッド３１の壁幅方向の他方側の部分、および第２スタッド３２の壁幅方向の一方側の部分と対向する部分が切除され、その部分に開口部４２が形成されている。開口部４２は、片引戸１２（図２参照）の上枠よりも下側に形成されている。
【００２９】
図３に示すように、第１板材４の前側には、開口部４２を塞ぐように第３板材８が重なって設けられている。第３板材８は、空洞部２４に矯正柱７が設けられた後に設けられる。
第３板材８は、壁幅方向の一方側の端部が中方立１７の前端部近傍と当接し、壁幅方向の他方側の端部が縦枠１８の後端部近傍と当接し、上端部が上枠の下面と当接している。第３板材８の前面８１は、中方立１７の前面１７１よりも後側に位置している。
第３板材８は、中方立１７、縦枠１８、上枠、床部に囲まれている。
【００３０】
図３−図５に示すように、矯正柱７は、上下方向に延びる柱状の柱部７１と、柱部７１の上部側に接合された第１上側固定部７２および第２上側固定部７３と、柱部７１の下部側に接合された第１下側固定部７４および第２下側固定部７５と、柱部７１の上下方向の中間部に接合された第１中間固定部７６および第２中間固定部７７と、第１中間固定部７６および第２中間固定部７７に取り付けられる第１パッキン７８および第２パッキン７９と、を有している。
【００３１】
第１上側固定部７２および第２上側固定部７３は、柱部７１の上端部よりも下側となる位置に接合され、第１下側固定部７４および第２下側固定部７５は、柱部７１の下端部よりも上側となる位置に接合されている。
柱部７１、第１上側固定部７２、第２上側固定部７３、第１下側固定部７４、第２下側固定部７５、第１中間固定部７６および第２中間固定部７７は、第１スタッド３１および第２下地板材６２よりも高い曲げ剛性を有している。
【００３２】
柱部７１は、断面形状が長方形となる角型鋼管などで、上下方向に延びる向きに配置される。図６に示すように、柱部７１の上端部分７１ａは、先細りの形状となっている。柱部７１の下端部分７１ｂ（図５参照）も、上端部分７１ａと同様に先細りの形状となっている。
柱部７１は、下端部が床部の上に配置され、上端部分７１ａが上枠と第２下地板材６２との間に挿入されている。本実施形態では、柱部７１の前端部分が下側のランナー９１の前側の側板部と干渉するため、図５に示すように、前側の側板部に切り欠き部９２を形成している。
【００３３】
矯正柱７が第１壁部２１に設置されると、柱部７１の外周面のうち柱部７１の断面形状の長方形の４辺それぞれに対応する４つの面は、前側、後側、壁幅方向の一方側および他方側を向いている。柱部７１の外周部のうち、前側を向く面を前面７１１、後側を向く面を後面７１２、壁幅方向の一方側を向く面を第１側面７１３、壁幅方向の他方側を向く面を第２側面７１４とする。
【００３４】
図４および図６に示すように、第１上側固定部７２は、平板状の鋼板をＬ字形となるように屈曲させた部材で、柱部７１に接合された第１上側柱接合片７２１と、第１上側柱接合片７２１から突出する第１上側突出片７２２と、を有している。
第１上側柱接合片７２１は、板面が長尺の長方形となる平板状に形成され、長手方向が上下方向となる向きで一方の面が柱部７１の第１側面７１３の上部側に接合されている。
第１上側突出片７２２は、板面が長尺の長方形となる平板状に形成され、長手方向が上下方向となり、板面が壁厚さ方向を向く鉛直面となる向きで壁幅方向の他方側の縁部が第１上側柱接合片７２１の前側の縁部と連続している。第１上側突出片７２２の前面は、柱部７１の前面７１１と略面一となるように配置されている。
【００３５】
第２上側固定部７３は、第１上側固定部７２と同じ形状に形成され、第１上側固定部７２を鉛直軸回りに１８０°回転させた向きで柱部７１の第２側面７１４に固定されている。
第２上側固定部７３は、第１上側固定部７２の第１上側柱接合片７２１および第１上側突出片７２２に対応する第２上側柱接合片７３１および第２上側突出片７３２を有している。
第２上側柱接合片７３１は、一方の面が柱部７１の第２側面７１４の上部側に接合されている。
第２上側突出片７３２は、板面が壁厚さ方向を向く鉛直面となる向きで壁幅方向の一方側の縁部が第１上側柱接合片７２１の後側の縁部と連続している。第２上側突出片７３２の後面は、柱部７１の後面７１２と略面一となるように配置されている。
【００３６】
第１下側固定部７４は、第１上側固定部７２と同じ形状に形成され、第１上側固定部７２と同じ向きで柱部７１の第１側面７１３の下部側に接合されている。図４では第１上側固定部７２の第１下側固定部７４に対応する部分に符号を表記している。
第１下側固定部７４は、第１上側突出片７２２の第１上側柱接合片７２１および第１上側突出片７２２に対応する第１下側柱接合片７４１および第１下側突出片７４２を有している。
【００３７】
第２下側固定部７５は、第２上側固定部７３と同じ形状に形成され、第２上側固定部７３と同じ向きで柱部７１の第２側面７１４の下部側に接合されている。図４では第２上側固定部７３の第２下側固定部７５に対応する部分に符号を表記している。
第２下側固定部７５は、第２上側突出片７３２の第２上側柱接合片７３１および第２上側突出片７３２に対応する第２下側柱接合片７５１および第２下側突出片７５２を有している。
【００３８】
第１中間固定部７６は、第１上側固定部７２と同じ形状に形成され、第１上側固定部７２と同じ向きで柱部７１の第１側面７１３の上下方向の中間部に接合されている。
第１中間固定部７６は、第１上側突出片７２２の第１上側柱接合片７２１および第１上側突出片７２２に対応する第１中間柱接合片７６１および第１中間突出片７６２を有している。
【００３９】
第２中間固定部７７は、第２上側固定部７３と同じ形状に形成され、第２上側固定部７３と同じ向きで柱部７１の前面７１１の上下方向の中間部に接合されている。
第２中間固定部７７は、第２上側突出片７３２の第１上側柱接合片７２１および第２上側突出片７３２に対応する第２中間柱接合片７７１および第２中間突出片７７２を有している。
【００４０】
第１上側突出片７２２、第１中間突出片７６２および第１下側突出片７４２は、この順番に、上側から下側に互いに間隔をあけて配列されている。
第２上側突出片７３２、第２中間突出片７７２および第２下側突出片７５２は、この順番に、上側から下側に互いに間隔をあけて配列されている。
【００４１】
第１パッキン７８は、ゴムなどの弾性部材で平板状に形成されている。第１パッキン７８は、第１中間突出片７６２の板面とほぼ同じ板面の平板状に形成されている。第１パッキン７８は、第１中間突出片７６２の後面に重ねて配置される。
第２パッキン７９は、ゴムなどの弾性部材で平板状に形成されている。第２パッキン７９は、第２中間突出片７７２の板面とほぼ同じ板面の平板状に形成されている。第２パッキン７９は、第２中間突出片７７２の後面に重ねて配置される。
後述するが、第１パッキン７８および第２パッキン７９は、それぞれ１枚または複数枚設けられる。
【００４２】
図４に示すように、第１上側突出片７２２および第１下側突出片７４２は、後面が第１スタッド３１の前面３１１と当接した状態で第１スタッド３１にネジなどの固定具（不図示）で固定されている。
図３に示すように、第１中間突出片７６２は、後面が第１パッキン７８を介して第１スタッド３１の前面３１１と当接した状態で第１スタッド３１にネジなどの固定具（不図示）で固定されている。
第１スタッド３１の前面３１１における、第１上側突出片７２２、第１下側突出片７４２および第１中間突出片７６２が固定される部分は、第１板材４に開口部４２を形成したことで露出した部分である。
【００４３】
第１上側突出片７２２、第１下側突出片７４２および第１中間突出片７６２それぞれの前面、柱部７１の前面７１１は、第１板材４の前面４１よりも後側に配置されていて、第３板材８と干渉しない。
第１上側柱接合片７２１、第１下側柱接合片７４１および第１中間柱接合片７６１は、壁幅方向の一方側の面が第１スタッド３１の空洞部２４側の面３１２（壁幅方向の他方側の面）と当接している。
【００４４】
第２上側突出片７３２および第２下側突出片７５２は、後面が第２下地板材６２の前面６２１と当接した状態で第２下地板材６２にネジなどの固定具（不図示）で固定されている。
第２中間突出片７７２は、後面が第２パッキン７９を介して第２下地板材６２の前面６２１と当接した状態で第２下地板材６２にネジなどの固定具（不図示）で固定されている。
【００４５】
上述したように、第１上側突出片７２２、第１下側突出片７４２および第１中間突出片７６２は、上下方向に配列されている。このため、第１上側突出片７２２、第１下側突出片７４２および第１中間突出片７６２がそれぞれ第１スタッド３１に固定され、第１中間突出片７６２と第１スタッド３１との間に第１パッキン７８が設けられていると、第１パッキン７８が第１中間突出片７６２および第１スタッド３１に挟まれ押圧されるため、その反力によって第１スタッド３１が後側に押されることになる。第１中間突出片７６２は、第１パッキン７８を介して第１スタッド３１の上下方向の中間部に固定されているため、第１スタッド３１は、上下方向の中間部が後側に押され、反りが矯正または防止される。
【００４６】
同様に、第２上側突出片７３２、第２下側突出片７５２および第２中間突出片７７２の後面は、上下方向に配列されている。このため、第２上側突出片７３２、第２下側突出片７５２および第２中間突出片７７２がそれぞれ第２下地板材６２に固定され、第２中間突出片７７２と第２下地板材６２との間に第２パッキン７９が設けられていると、第２パッキン７９が第１中間突出片７６２および第２下地板材６２に挟まれ押圧されるため、その反力によって第２下地板材６２が後側に押されることになる。第２中間突出片７７２は、第２パッキン７９を介して第２下地板材６２の上下方向の中間部に固定されているため、第２下地板材６２は、上下方向の中間部が後側に押され、反りが矯正または防止される。
【００４７】
第１パッキン７８の厚さ寸法や枚数、材質などは、第１中間突出片７６２が第１スタッド３１を押圧する押圧力、第１中間突出片７６２が第１スタッド３１を押圧した際の矯正柱７の変位量・変形量を考慮して設定する。矯正柱７の変位量（変形量）は、第１中間突出片７６２が第１スタッド３１を押圧する外力値を測定し、その外力値による矯正柱７の変位量を矯正柱７の剛性などに基づいて算出する。
第２パッキン７９の厚さ寸法や枚数、材質などは、第２中間突出片７７２が第２下地板材６２を押圧する押圧力、第２中間突出片７７２が第２下地板材６２を押圧した際の矯正柱７の変位量・変形量を考慮して設定する。矯正柱７の変位量（変形量）は、第２中間突出片７７２が第２下地板材６２を押圧する外力値を測定し、その外力値による矯正柱７の変位量を矯正柱７の剛性などに基づいて算出する。
【００４８】
続いて、本実施形態の壁体の改修方法について説明する。
壁体の改修は、第１壁部２１に対して前側から行う。
まず、空洞部２４を第１壁部２１の前側に露出させる。
第１板材４における空洞部２４と壁厚さ方向に重なる部分を切除し、第１板材４に開口部４２を形成する。開口部４２の壁幅方向の一方側の縁部を第１スタッド３１の壁幅方向の他方側の縁部よりも壁幅方向の一方側とし、第１スタッド３１の前面３１１の矯正柱７が固定される部分（壁幅方向の他方側の端部近傍）も露出させる。
矯正柱７の柱部７１が設置される部分のランナーの前側の側板部に切込みを入れて内側に倒し、前側の側板部に切り欠き部を形成する。
なお、図８では、建具１３が表記されているが、作業効率や開口部４２の位置に応じて建具１３を外して作業してもよい。
【００４９】
続いて、図８および図９に示すように、空洞部２４に矯正柱７を設置する。
矯正柱７は、開口部４２よりも上下方向に長いため、けんどん式に空洞部２４に設置する。
図１０に示すように、矯正柱７を上側が下側よりも後側となる斜めの姿勢とし、柱部７１の上端部分７１ａを上枠１９と第２下地板材６２との間に斜め下側から挿し込み、柱部７１の下端部が床部と離れている状態で矯正柱７を上下方向に延びる姿勢にしてから矯正柱７を下降させて柱部７１の下端部をランナーの底板部の上に設置する。
本実施形態では、矯正柱７の柱部７１の上端部分７１ａが先細りの形状であるため、矯正柱７を斜めの姿勢とした場合でも、柱部７１の上端部分７１ａを上枠と第２下地板材６２との間に挿入しやすい。
【００５０】
矯正柱７の壁厚さ方向および壁幅方向の位置を調整して、第１上側突出片７２２、第１下側突出片７４２および第１中間突出片７６２それぞれの後面を第１スタッド３１の前面３１１に沿わせ、第１上側柱接合片７２１、第１下側柱接合片７４１および第１中間柱接合片７６１の壁幅方向の一方側の面を第１スタッド３１の空洞部２４側の面３１２（壁幅方向の他方側の面）に沿わせ、第２上側突出片７３２、第２下側突出片７５２、第２中間突出片７７２それぞれの後面を第２下地板材６２の前面６２１に沿わせる。
【００５１】
矯正柱７が上記のように設置されたら、第１下側突出片７４２を第１スタッド３１にネジなどの固定具（不図示）で固定し、第２下側突出片７５２を第２下地板材６２にネジなどの固定具（不図示）に固定する。
この状態では、第１上側突出片７２２および第１中間突出片７６２を第１スタッド３１に固定せず、第２上側突出片７３２および第２中間突出片７７２を第２下地板材６２に固定しない。このため。矯正柱７は下部側のみ固定されているため、上部側は矯正柱７の弾性変形可能な範囲で若干変形可能となる。
【００５２】
第１中間突出片７６２と第１スタッド３１との間に第１パッキン７８を挿入し、第２中間突出片７７２と第２下地板材６２との間に第２パッキン７９を挿入する。
第１中間突出片７６２と第１スタッド３１との間に第１パッキン７８を挿入することで、第１パッキン７８が押圧されその反力で第１スタッド３１が後側に押される。第２中間突出片７７２と第２下地板材６２との間に第２パッキン７９を挿入することで、第２パッキン７９が押圧されその反力で第２下地板材６２が後側に押される。
【００５３】
第１スタッド３１は、後側に押されることで反りが矯正されるため、第１スタッド３１の反りが矯正されてなくなるように第１パッキン７８の厚さを調整する。第１下地板材６１は、後側に押されることで反りが矯正されるため、第２下地板材６２の反り矯正されてなくなるように第２パッキン７９の厚さを調整する。
施工時には、厚さの異なる複数の種類のパッキンを準備しておき、第１スタッド３１の反りに合わせて適当な厚さの１または複数のパッキンを第１パッキン７８として使用し、第２下地板材６２の反りに合わせて適当な厚さの１または複数のパッキンを第２パッキン７９として使用する。
【００５４】
第１パッキン７８および第２パッキン７９が設置されたら、第１上側突出片７２２および第１中間突出片７６２を第１スタッド３１にネジなどの固定具で固定し、第２上側突出片７３２および第２中間突出片７７２を第２下地板材６２にネジなどの固定具に固定する。
【００５５】
続いて、第１板材４の開口部４２を覆うように、第３板材８を設置する。第３板材８は、第１板材４の前側に重ねて配置し、壁幅方向の一方の端部を中方立１７と当接させ、壁幅方向の他方の端部を縦枠１８と当接させる。
第３板材８の前面８１に、必要に応じてクロス張りや塗装などを行う。なお、第３板材８に、前側となる面が化粧面である化粧パネルを採用してもよい。
このようにして、第１壁部２１の反りが矯正される。
【００５６】
次に、上述した本発明の実施形態による壁構造１の作用・効果について図面を用いて説明する。
上述した本発明の実施形態による壁構造１では、第１壁部２１の第１スタッド３１および第２下地板材６２よりも高い曲げ剛性を有する矯正柱７が第１スタッド３１および第２下地板材６２の上下方向の中間部と当接していることにより、第１スタッド３１および第２下地板材６２の上下方向の中間部が張り出して反るように第１壁部２１が変形しようとすると、第１スタッド３１および第２下地板材６２の上下方向の中間部が矯正柱７に当接して第１スタッド３１および第２下地板材６２の変形が防止されるため、第１壁部２１の変形（反り）を防止することができる。
【００５７】
また、第１スタッド３１および第２下地板材６２の上下方向の中間部が張り出して反るように第１壁部２１が変形している場合には、第１スタッド３１および第２下地板材６２の上下方向の中間部に当接させるように矯正柱７を設けることで、第１スタッド３１および第２下地板材６２の変形が矯正され、第１壁部２１の変形（反り）を矯正することができる。
そして、矯正柱７は、空洞部２４に設けられているとともに、第１スタッド３１および第２下地板材６２と当接して一対の板材４，５に負荷を与えることがないため、第１壁部２１の仕上げや機能を損なうことがない。
【００５８】
また、矯正柱７は、第１スタッド３１および第２下地板材６２の上下方向の中間部を当接して押圧していることにより、矯正柱７が第１壁部２１の反りを効率的に防止できるとともに、矯正柱７が第１壁部２１の反りをより効率的に矯正することができる。
【００５９】
また、矯正柱７は、第１中間固定部７６および第２中間固定部７７の上側で第１スタッド３１および第２下地板材６２と固定される第１上側固定部７２および第２上側固定部７３と、第１中間固定部７６および第２中間固定部７７の下側で第１スタッド３１および第２下地板材６２と固定される第１下側固定部７４および第２下側固定部７５とを有していることにより、矯正柱７を第１スタッド３１および第２下地板材６２の上部側および下部側に固定すればよいため、矯正柱７の設置を容易に行うことができる。
【００６０】
また、第１上側固定部７２、第２上側固定部７３、第１下側固定部７４、第２下側固定部７５、第１中間固定部７６および第２中間固定部７７は、いずれも第１スタッド３１および第２下地板材６２に対して壁厚さ方向のいずれか一方側の同じ側（前側）に配置されている。
このような構成とすることにより、矯正柱７の設置が第１スタッド３１および第２下地板材６２に対して前側のみからの作業となるため、容易に行うことができる。
【００６１】
また、本実施形態のように、第１壁部２１に反りが生じ、その反りを矯正する改修工事として矯正柱７を設置する場合に、矯正柱７の設置が第１スタッド３１および第２下地板材６２に対して前側のみからの作業となるため、一対の板材４，５のうちの一方の板材４のみを外す、または一対の板材４，５のうちの一方の板材４のみに開口部４２を形成することで、矯正柱７を設置することができる。
これにより、矯正柱７を設置した後に、取り外した板材４またはそれに代わる板材４を設置したり、板材４に形成した開口部４２を塞いだりする作業が一対の板材４，５のうちの一方の板材４のみに対して行えばよいため、第１壁部２１の改修工事の場合でも、矯正柱７の設置を容易に行うことができる。
【００６２】
また、第１中間固定部７６および第２中間固定部７７は、第１パッキン７８および第２パッキン７９を介して第１スタッド３１および第２下地板材６２と当接していることにより、第１パッキン７８および第２パッキン７９の厚さ寸法を調整することで、第１スタッド３１および第２下地板材６２が第１中間固定部７６および第２中間固定部７７から受ける力の大きさを調整することができる。
また、第１スタッド３１および第２下地板材６２が第１中間固定部７６および第２中間固定部７７から押圧される場合に、第１スタッド３１および第２下地板材６２が損傷することを防止することができる。
【００６３】
また、矯正柱７は、柱部７１の壁幅方向の一方側に設けられた第１中間突出片７６２が第１スタッド３１に前側から当接して接合され、他方側に設けられた第２中間突出片７７２が第２下地板材６２に前側から当接して接合されている。これにより、第１スタッド３１および第２下地板材６２からの反力により矯正柱７が柱部７１の軸線回りに回転することが防止され、第１中間固定部７６および第２中間固定部７７が第１スタッド３１および第２下地板材６２を押圧した状態を維持することができる。本実施形態では、第１中間突出片７６２および第２中間突出片７７２が本発明の回転防止部も兼ねている。
【００６４】
本実施形態による壁構造によれば、第１壁部２１の反りを矯正するために、第１壁部２１の第１板材４に開口部４２を形成し、空洞部２４を露出させ、この空洞部２４に矯正柱７を設置すれば、矯正柱７が第１板材４の前面４１よりも前側に突出しないように構成されている。
これにより、空洞部２４に矯正柱７を設置した後には、開口部４２を覆うように第３板材８を設置した際に、第３板材８が矯正柱７と干渉することがないため、容易に施工を行うことができる。
【００６５】
本実施形態による壁構造によれば、第１板材４および第３板材８は、中方立１７、縦枠１８、上枠、床部に囲まれていて、周囲の壁部の板材と縁が切れているため、第１板材４に開口部４２を形成したり、第３板材８を設置したりする工程を容易に行うことができる。
また、第１板材４に開口部４２は、第３板材８を設置することで容易にふさぐことができる。
また、第３板材８は、中方立１７の前面１７１よりも後側に配置されているため、建具が干渉することがない。
【００６６】
以上、本発明による壁構造１の実施形態について説明したが、本発明は上記の実施形態に限定されるものではなく、その趣旨を逸脱しない範囲で適宜変更可能である。
例えば、上記の実施形態では、第１壁部２１は、片引戸１２の引き込み部分１４に対向する位置に設けられた第１壁部２１であるが、図１１に示すような建具が設けられていない壁部２５であってもよい。このような場合に、第１中間突出片７６２は、第１パッキン７８を介して第１スタッド３１を押圧して第１スタッド３１の反りを矯正・防止し、第２中間突出片７７２は、パッキンを介さずに第２板材５と当接し、矯正柱７の回転を防止するように構成されていてもよい。
また、上記の実施形態では、第１壁部２１の一対の板材４，５は、スタッド３に接合されているが、スタッド３に代わって木造の柱や間柱に接合されていてもよい。このような場合は、柱や間柱の反りを矯正・防止するように柱や間柱と当接または柱や間柱を押圧する矯正柱７が取り付けられていてもよい。
【００６７】
また、上記の実施形態では、矯正柱７は、第１壁部２１の反りを矯正する改修を行う際に第１壁部２１に設けられているが、新設される壁部に矯正柱７を取り付けて壁部の矯正を防止するようにしてもよい。このような場合、壁部の新設時には、矯正柱７の第１中間突出片７６２および第２中間突出片７７２は第１スタッド３１および第２下地板材６２を押圧せずに、第１スタッド３１および第２下地板材６２に当接した状態とし、第１スタッド３１および第２下地板材６２に第１中間突出片７６２および第２中間突出片７７２側にせり出すような反りが生じた際に、第１スタッド３１および第２下地板材６２が第１中間突出片７６２および第２中間突出片７７２からの反力によって押圧されるように構成されていてもよい。
【００６８】
また、上記の実施形態では、矯正柱７は、柱部７１の両側に第１スタッド３１および第２下地板材６２と当接して反りを矯正・防止する中間当接部（第１中間突出片７６２および第２中間突出片７７２）が設けられ、第１中間突出片７６２が第１スタッド３１の反りを矯正・防止し、第２中間突出片７７２が第２下地板材６２の反りを矯正・防止しているが、第１中間突出片７６２のみが設けられて、第１スタッド３１の反りを矯正・防止するように構成されていてもよい。
【００６９】
また、上記の実施形態では、第１中間突出片７６２および第２中間突出片７７２は、それぞれ第１スタッド３１および第２下地板材６２に接合されているが、第１スタッド３１および第２下地板材６２と接合されずに当接していてもよい。
また、第１中間突出片７６２は、第１スタッド３１と当接または接合されて第１スタッド３１の反りを矯正・防止し、第２中間突出片７７２は、第２板材５など下地材以外の部材に当接し、矯正柱７の柱部７１の軸線回りの回転を防止する部材として設けられていてもよい。
また、矯正柱７には、柱部７１に軸線回りの回転を防止する機構が設けられていなくてもよい。
【００７０】
また、上記の実施形態では、矯正柱７は、中間当接部（第１中間突出片７６２および第２中間突出片７７２）の上側および下側それぞれで第１スタッド３１および第２下地板材６２と固定されているが、矯正柱７が第１スタッド３１および第２下地板材６２と固定される位置や数は適宜設定されてよい。
また、上記の実施形態では、第１上側固定部７２、第２上側固定部７３、第１下側固定部７４、第２下側固定部７５、第１中間固定部７６および第２中間固定部７７は、いずれも第１スタッド３１および第２下地板材６２に対して壁厚さ方向の前側に配置されているが、第１スタッド３１および第２下地板材６２に対して設けられる位置がそれぞれ異なっていてもよい。
【００７１】
また、第１上側固定部７２および第１下側固定部７４は、第１スタッド３１の壁厚さ方向の一方側に設けられ、第２上側固定部７３および第２下側固定部７５は、第２下地板材６２の壁厚さ方向の他方側に設けられていてもよい。
また、第１中間固定部７６は、第１スタッド３１の壁厚さ方向の一方側に設けられ、第２中間固定部７７は、第２下地板材６２の壁厚さ方向の他方側に設けられていてもよい。
【００７２】
また、上記の実施形態では、第１中間固定部７６および第２中間固定部７７は、第１パッキン７８および第２パッキン７９を介して第１スタッド３１および第２下地板材６２と当接しているが、第１パッキン７８および第２パッキン７９を介さずに直接第１スタッド３１および第２下地板材６２と当接していてもよい。
【符号の説明】
【００７３】
１  壁構造
３  スタッド
４  第１板材（板材）
５  第２板材（板材）
７  矯正柱
８  第３板材
２１  第１壁部（壁部）
２２  第２壁部
２４  空洞部
３１  第１スタッド（下地材）
３２  第２スタッド
６１  第１下地板材
６２  第２下地板材
７１  柱部
７２  第１上側固定部（上側固定部）
７３  第２上側固定部（上側固定部）
７４  第１下側固定部（下側固定部）
７５  第２下側固定部（下側固定部）
７６  第１中間固定部
７７  第２中間固定部
７８  第１パッキン（パッキン）
７９  第２パッキン（パッキン）
７６２  第１中間突出片（中間当接部）
７７２  第２中間突出片（中間当接部）
【図１】
2020153076.tif 000003
【図２】
2020153076.tif 000004
【図３】
2020153076.tif 000005
【図４】
2020153076.tif 000006
【図５】
2020153076.tif 000007
【図６】
2020153076.tif 000008
【図７】
2020153076.tif 000009
【図８】
2020153076.tif 000010
【図９】
2020153076.tif 000011
【図１０】
2020153076.tif 000012
【図１１】
2020153076.tif 000013